(57)【要約】【課題】  本発明の目的は、住宅等の基礎を構成する杭の打込作業を行う際に、杭を正しい位置に打ち込むことを可能とする、杭の位置決め治具及び該位置決め治具を備えた杭並びに杭の位置決め方法を提供する。【解決手段】  杭３の打込位置への位置決めを行う治具１０であって、杭３の端部に設けられた固定部材１１と、この固定部材１１に着脱可能に配設される長尺の位置決め部材１２とを備え、固定部材１１は杭３の長手方向の中心軸線Ｌ上に設けられ、位置決め部材１２は中心軸線Ｌに沿って配設される。【選択図】  図１
2006274636.tif 000002
【特許請求の範囲】
【請求項１】
杭の打込位置への位置決めを行う治具であって、
前記杭の端部に設けられた固定部材と、該固定部材に着脱可能に配設される長尺の位置決め部材と、を備え、
前記固定部材は前記杭の長手方向の中心軸線上に設けられ、
前記位置決め部材は前記中心軸線に沿って配設されたことを特徴とする杭の位置決め治具。
【請求項２】
前記固定部材はナットからなり、前記位置決め部材は前記ナットに螺合可能なねじ部材からなることを特徴とする請求項１記載の杭の位置決め治具。
【請求項３】
請求項１及び請求項２記載の位置決め治具を備えた杭。
【請求項４】
杭の打込位置への位置決め方法であって、
前記杭を横置き状態から起立状態とする工程と、
前記杭の端部を地盤面から浮かせて位置させる工程と、
前記杭の端部に設けられた固定部材に、長尺の位置決め部材を取着する工程と、
前記位置決め部材を打込地点に一致させる工程と、
前記杭を打込地点に向けて打ち込み、前記位置決め部材を地中に埋入させる工程と、を備えたことを特徴とする杭の位置決め方法。
【発明の詳細な説明】
【技術分野】
【０００１】
本発明は杭の位置決め治具及び該位置決め治具を備えた杭並びに杭の位置決め方法に関し、特に、建物を構成する杭を、打込地点に適正に位置決めすることが可能な、杭の位置決め治具及び該位置決め治具を備えた杭並びに杭の位置決め方法に関する。
【背景技術】
【０００２】
住宅等の建物の基礎は、一般に、地盤を掘削し、そこに鉄筋からなる構造体を構築し、型枠を設置した後、コンクリートを打設して形成されている。
しかし、上記基礎では、施工に手間を有し、さらに、敷地外に廃棄される残土を多く生じるという問題があった。
【０００３】
また、リサイクルの観点から見ても、上記従来の基礎では、コンクリート部分と鋼材部分とを分離するのが容易ではなく、鋼材の再利用が難しいという問題があった。
【０００４】
そこで、地盤に鋼製の杭を打ち込み、この杭の上端部に鋼製の基礎横架材が接合されてなる建物基礎の構造が提案されている（例えば、特許文献１参照）。
【特許文献１】特開２００１−０６４９７８号公報
【発明の開示】
【発明が解決しようとする課題】
【０００５】
上記特許文献１に開示された基礎構造を採用するとき、例えば次の資料に示す鋼管杭により構造が支持される（例えば、特許文献２参照）。
【特許文献２】特開２００４−１２４３９９号公報
【０００６】
上記特許文献２に開示された鋼管杭は、外周面に翼部を備え、先端部に掘削刃部が設けられ、杭が効率良く打ち込まれるように構成されている。
このような鋼管杭について、予め設定された打込地点に、ズレなく設置することができればより好適である。
【０００７】
本発明の目的は、住宅等の基礎を構成する杭の打込作業を行う際に、杭を正しい位置に打ち込むことを可能とする、杭の位置決め治具及び該位置決め治具を備えた杭並びに杭の位置決め方法を提供することにある。
【課題を解決するための手段】
【０００８】
前記課題は、請求項１に係る杭の位置決め治具によれば、杭の打込位置への位置決めを行う治具であって、前記杭の端部に設けられた固定部材と、該固定部材に着脱可能に配設される長尺の位置決め部材と、を備え、前記固定部材は前記杭の長手方向の中心軸線上に設けられ、前記位置決め部材は前記中心軸線に沿って配設された、ことにより解決される。
【０００９】
具体的には、前記固定部材はナットからなり、前記位置決め部材は前記ナットに螺合可能なねじ部材からなる。
本発明の杭の位置決め治具は端部に固定部材を備え、この固定部材に長尺の位置決め部材が着脱可能に配設されているので、杭の打ち込み時に、位置決め部材を打込地点に一致させることにより、打ち込みの際に杭を正確な位置に設置する機能を有する。
そして、上記位置決め治具を備えた杭により、建物の基礎構造等を精度良く構築することが可能となる。
【００１０】
本発明に係る杭の位置決め方法は、杭の打込位置への位置決め方法であって、前記杭を横置き状態から起立状態とする工程と、前記杭の端部を地盤面から浮かせて位置させる工程と、前記杭の端部に設けられた固定部材に、長尺の位置決め部材を取着する工程と、前記位置決め部材を打込地点に一致させる工程と、前記杭を打込地点に向けて打ち込み、前記位置決め部材を地中に埋入させる工程と、を備えたことを特徴とする。
【００１１】
このように、本発明の杭の位置決め方法によれば、杭を横置き状態から起立状態とした後に、杭の端部に位置決め部材を取着するので、位置決め部材が長尺部材であっても、取付け後に無理な力がかかることがないので、位置決め部材が破損することがない。
【００１２】
そして、位置決め部材を打込地点に一致させて杭を打ち込むことにより、杭を正しい位置に精度良く打ち込むことが可能となる。
【発明の効果】
【００１３】
以上のように、本発明の杭の位置決め治具及び該位置決め治具を備えた杭によれば、杭の端部に長尺の位置決め部材が着脱可能に設けられているので、この位置決め部材を杭の打込地点に一致させることにより、杭を正しい位置に打ち込むことが可能となる。
杭が正しい位置に打ち込まれると、杭の上部に建造される構築物についても、高い精度を確保することが可能となる。
【００１４】
また、位置決め部材は杭に着脱可能とされているので、杭を起立させた後に、位置決め部材の取付けを行うことが可能となる。
杭を起立させるときには、杭の一端をクレーン等で吊り上げ、他端を地面につけて起立させるが、杭を起立させるときには位置決め部材は取着されていないので、杭の起立動作により破損することがない。
【００１５】
本発明の杭の位置決め方法によれば、杭が起立した状態となった後に、杭を地盤面から浮かせて、位置決め部材を取り付けるので、位置決め部材の破損を防止し、杭を確実に打込地点に位置させることが可能となる。
【発明を実施するための最良の形態】
【００１６】
以下、本発明の一実施形態について、図を参照して説明する。なお、以下に説明する部材、配置等は、本発明を限定するものではなく、本発明の趣旨に沿って各種改変することができることは勿論である。
【００１７】
図１乃至図８は、本発明に係る一実施形態を示すものであり、図１は本実施形態に係る杭及び杭の位置決め治具を示す斜視図、図２は杭と打込地点を示す説明図、図３は杭打ち機の一例を示す説明図、図４乃至図８は杭の位置決め工程を示す説明図である。
【００１８】
本実施形態の杭３は、位置決め治具１０を備えている。
位置決め治具１０は、住宅の基礎等を構成する杭３を地中に打ち込む際に、杭３が打込地点に正しく位置するように、杭３の打込位置を確保する治具である。
【００１９】
本例の杭３は、鋼管杭であり、例えば円形の中空体として形成されている。
杭３の打ち込み時に下方側になる端部には、円形状に配設された第１の刃部３ａと、第１の刃部３ａの周りに位置する第２の刃部３ｂが設けられている。これらの刃部３ａ，３ｂは、杭３が地中に回転圧入される際に、地盤を掘削し、杭３の埋入を促進するように構成されている。
【００２０】
また、杭３の外周には、図２に示すように翼部３ｃが設けられている。
翼部３ｃは例えば鋼板製で、杭３の外周に溶接等により螺旋状に突設されている。
翼部３ｃは、杭３の回転圧入に伴って回転し、地盤に食い込むと共に、地盤を攪拌しながら、杭３の打込作業の効率性を向上させるものである。
【００２１】
なお、先端部の刃部の形状や翼部の数等は、上記に限定されるものではない。
例えば、翼部を杭３の長さ方向に沿って複数個設けても良い。
【００２２】
位置決め治具１０は、図１に示すように、固定部材１１と、位置決め部材１２とを備えている。
【００２３】
本例の固定部材１１は、内側にねじが切られたナットから形成されている。固定部材１１は、杭３の端部に溶接等により固着されている。固定部材１１は、杭３の長手方向の中心軸線Ｌ上に設けられる。
なお、前記杭３の端部とは、杭３の打込時に、地中に埋入される側となる端部である。
【００２４】
本例の位置決め部材１２は、外周にねじが切られた、ねじ部材から形成されている。
例えば、位置決め部材１２は、図１に示すように、頭部を有さない細長いボルトから形成されている。
【００２５】
位置決め部材１２は固定部材１１に螺合可能とされており、固定部材１１に取り付けられる。
位置決め部材１２は、杭３の中心軸線Ｌに沿って、中心軸線Ｌと同方向になるように配設される。
【００２６】
なお、位置決め治具１０は、上記に限らず、他の構成であっても良い。
例えば、固定部材１１と位置決め部材１２が螺合されるのではなく、固定部材１１に位置決め部材１２が圧入される構成であっても良い。
【００２７】
この場合は、固定部材１１の内周に沿って突起または突条を設けておき、位置決め部材１２には、前記突起または突条に係合する溝部を設けておく。
これにより、位置決め部材１２を固定部材１１に圧入することにより、位置決め部材１２を固定部材１１に取り付けることができる。
【００２８】
図２は、杭３に位置決め治具１０を取り付けた状態を示すものである。
図示されているように、位置決め治具１０の位置決め部材１２は、杭３の端部から突出して取り付けられる。
【００２９】
建築物等の施工現場の地盤面には、杭３の打込地点Ｐがマーキングされている。
マーキングは、例えば地盤面に紐やリボン等を固定することにより行われている。
或いは、地盤面に石灰で印をつけることにより行われている。
【００３０】
杭３を打ち込むときは、位置決め治具１０の位置決め部材１２を、打込地点Ｐに一致させる。
位置決め部材１２が打込地点Ｐに一致して杭３が打ち込まれることにより、杭３を正しい位置に打ち込むことが可能となる。
【００３１】
図３は杭打ち機の一例を示す説明図である。
図３に示す杭打ち機４は、杭３を保持するリーダ４ａと、杭３を回転圧入する駆動部４ｂと、駆動部４ｂと杭３を連結するキャップ４ｃと、杭３の下端部を保持する保持部材４ｄとを備えている。
【００３２】
図３には、杭打ち機４に、杭３が適正な姿勢で保持された状態が示されている。
杭打ち機４はこのような状態に杭３を保持した後、駆動部４ｂを駆動させて、杭３を地中に向けて回転圧入する。
【００３３】
次に、図４〜図８に基づいて、杭３に位置決め治具１０が取り付けられ、その後、地盤面の打込地点Ｐに位置決めされるまでの工程を説明する。
図４は杭３を横置き状態から起立状態とする工程を示す説明図、図５は杭３の端部を地盤面Ｇから浮かせて位置させる工程を示す説明図、図６は杭３の端部に設けられた固定部材１１に位置決め部材１２を取着する工程を示す説明図、図７は位置決め部材１２を打込地点Ｐに一致させる工程を示す説明図、図８は杭３を打込地点Ｐに向けて打ち込み、位置決め部材１２を地中に埋入させる工程を示す説明図である。
【００３４】
まず、図４に示すように、横置き状態になっている杭３を起立させる。
この時点では、杭３には、位置決め治具１０はまだ取り付けられていない。
杭３の頭部側には、ロープ状の吊部材５が取付けられ、この吊部材５を引き上げることにより、杭３が起立状態とされる。吊部材５は、杭打ち機４に設けられているが、別途クレーンを用いても良い。
【００３５】
起立状態となった杭３は、図３に示すように、杭打ち機４に保持される。すなわち、杭３の上端部側が杭打ち機４のキャップ４ｃに固定され、下端部が保持部材４ｄに保持されて、吊り下げ状態となる。
この状態で、杭打ち機４により、杭３は打込地点Ｐの近くまで移動される。
【００３６】
図５に示すように、打込地点Ｐでは、杭３が吊り下げ状態となっているうちに、杭３と地盤面Ｇとの間に、ブロック部材６を介在させる。ブロック部材６により、杭３は地盤面Ｇから距離ｘだけ浮いた状態で保持される。
ブロック部材６としては、木材、コンクリートブロック、鋼材などが使用される。
【００３７】
このように、杭３が地盤面Ｇから浮いた状態となっているときに、杭３に位置決め部材１２が取着される。
図６に示すように、位置決め部材１２は、杭３の下側から取り付けられる。位置決め部材１２は固定部材１１に螺合され、固定部材１１に取着される。
【００３８】
杭３に位置決め部材１２が取り付けられたら、杭３の位置を調整し、図７に示すように、位置決め部材１２が打込地点Ｐの真上に来るようにする。
【００３９】
そして、杭打ち機４を打込作動させ、杭３を打込地点Ｐに向けて打ち込む。
杭３に取着された位置決め部材１２は打込地点Ｐに刺さり、地中に埋入される。
このようにして、杭３は打込地点Ｐにおいて、正しく位置決めされる。
【図面の簡単な説明】
【００４０】
【図１】本発明に係る杭及び杭の位置決め治具を示す斜視図である。
【図２】杭と打込地点を示す説明図である。
【図３】杭打ち機の一例を示す説明図である。
【図４】杭の位置決め工程を示す説明図である。
【図５】杭の位置決め工程を示す説明図である。
【図６】杭の位置決め工程を示す説明図である。
【図７】杭の位置決め工程を示す説明図である。
【図８】杭の位置決め工程を示す説明図である。
【符号の説明】
【００４１】
３  杭
３ａ  第一の刃部
３ｂ  第二の刃部
３ｃ  翼部
４  杭打ち機
４ａ  リーダ
４ｂ  駆動部
４ｃ  キャップ
４ｄ  保持部材
５  吊部材
６  ブロック部材
１０  位置決め治具
１１  固定部材
１２  位置決め部材
Ｇ  地盤面
Ｌ  杭の中心軸線
Ｐ  打込地点
【図１】
2006274636.tif 000003
【図２】
2006274636.tif 000004
【図３】
2006274636.tif 000005
【図４】
2006274636.tif 000006
【図５】
2006274636.tif 000007
【図６】
2006274636.tif 000008
【図７】
2006274636.tif 000009
【図８】
2006274636.tif 000010